(57)【要約】【課題】ドレンポンプで発生する振動のキャビネットへの伝達を抑制し、低振動、低騒音の空気調和機を提供すること。【解決手段】この発明に係る空気調和機は、熱交換器で発生するドレン水を空気調和機内部に一旦貯留した後、強制的に外部に排出する空気調和機において、送風機が取り付けられと共に風路を形成し、空気調和機外郭に部分的に接触して固定させるベースと、ベースに取り付けられ、ドレン水を空気調和機外部に排出するドレンポンプユニットと、を備えたことを特徴とする。【選択図】        図１
2004278965.tif 000002
【特許請求の範囲】
【請求項１】
熱交換器で発生するドレン水を空気調和機内部に一旦貯留した後、強制的に外部に排出する空気調和機において、
送風機が取り付けられと共に風路を形成し、空気調和機外郭に部分的に接触して固定させるベースと、
前記ベースに取り付けられ、ドレン水を空気調和機外部に排出するドレンポンプユニットと、
を備えたことを特徴とする空気調和機。
【請求項２】
前記ドレンポンプユニットが汲み上げたドレン水を外部に排出するドレンホース固定部を前記ドレンポンプユニットとは別部品で構成し、該ドレンホース固定部を前記ベースに取り付けたことを特徴とする請求項１に記載の空気調和機。
【請求項３】
前記ベースは、空気調和機外郭に部分的にビス等で固定されることを特徴とする請求項１に記載の空気調和機。
【請求項４】
前記ドレンポンプユニットは、ドレンポンプと、前記ベースに固定されるドレンポンプ台座と、ドレンポンプカバーとを有し、前記ドレンポンプ台座と前記ドレンポンプカバーとを固定することにより前記ドレンポンプを保持・固定する構成としたことを特徴とする請求項１に記載の空気調和機。
【請求項５】
前記ドレンポンプユニットは、前記ドレンポンプ台座と前記ドレンポンプとの間、及び前記ドレンポンプカバーと前記ドレンポンプとの間に、弾性部材を介在させたことを特徴とする請求項４に記載の空気調和機。
【請求項６】
前記ドレンポンプカバーと前記ドレンポンプ台座の固定は、前記ドレンポンプカバーの上部端部に先端が細く根元に来るほど太くなる鏃状のツメと、ネジ用穴とを配置し、これに嵌合すべく前記ドレンポンプ台座には前記ツメには嵌合用穴、前記ネジ用穴には同軸線上にセルフタッピングネジが止められるようネジボス穴を配置したことを特徴とする請求項４に記載の空気調和機。
【請求項７】
前記ドレンポンプ台座と前記ドレンポンプとの間に介在させた弾性部材に、前記ドレンポンプから発生する熱を放熱させる放熱穴を設けた特徴とする請求項５に記載の空気調和機。
【請求項８】
前記ドレンポンプカバーに、ドレン排水異常を検知するドレンセンサーを取り付けたことを特徴とする請求項４に記載の空気調和機。
【請求項９】
前記ドレンポンプカバーの側面から突出してセンサー取付部を設け、このセンサー取付部に前記ドレンセンサーを横方向から取り付けができる切り欠きを設けたことを特徴とする請求項８に記載の空気調和機。
【請求項１０】
前記ドレンポンプ台座上部に台座面より突出した仮止め用フックを設け、前記ベースに前記仮止め用フックが係合する仮止め用穴を設けたことを特徴とする請求項４に記載の空気調和機。
【請求項１１】
前記仮止め用フックを、Ｌ字形状としたことを特徴とする請求項１０に記載の空気調和機。
【請求項１２】
前記ドレンポンプ台座上部に、前記ドレンポンプ及び前記ドレンセンサーのリード線を挟み込むリードフックを設けたことを特徴とする請求項８に記載の空気調和機。
【請求項１３】
前記ドレンポンプ台座の両側面及び背面に、前記リードフックを設けたことを特徴とする請求項１２に記載の空気調和機。
【請求項１４】
前記リードフックは、先端に返り形状を有することを特徴とする請求項１２に記載の空気調和機。
【請求項１５】
前記ドレンポンプ台座と前記ドレンポンプカバーとの間にも弾性部材を介在させたことを特徴とする請求項５に記載の空気調和機。
【請求項１６】
前記ドレンポンプ台座の前記ベースと固定する座面の取付穴周囲に、前記ベース側に突出したリブを設けたことを特徴とする請求項４に記載の空気調和機。
【発明の詳細な説明】
【０００１】
【発明の属する技術分野】
この発明は、空気調和機に使用されるドレンポンプの取付構造に関する。天井埋込形空気調和機を例として説明する。
【０００２】
【従来の技術】
従来の天井埋込形空気調和機は、ドレンホースをケーシングの側板に固定することなく位置決めでき、ケーシングに容易に固定できるドレンポンプユニットを提供するために、樹脂製の取付台の凹部にドレンポンプを嵌合し、略キャップ形状の樹脂製の押さえ部材とドレンポンプ取付部材によりドレンポンプを取付台に取り付ける。ドレンポンプを覆う押さえ部材の先端近傍のドレンポンプの吐出口にドレンホースの一端を接続する。ドレンホースの他端がケーシングの側方に突出するように、ドレンホースをドレンホース固定部に固定する。そして、取付台をケーシングの底板に取り付ける（例えば、特許文献１参照）。
【０００３】
【特許文献１】
特開平８−２８５３０５号公報
【０００４】
【発明が解決しようとする課題】
一般に、ドレンポンプはドレン水を排水するため羽根を回転させているため振動が大きく騒音の発生源にもなっている。従来の天井埋込形空気調和機のドレンポンプ取付構造では、ドレンポンプの取付台とドレン水の排水口であるドレンホース固定部が同一部品で形成され、しかも空気調和機の外郭であるキャビネット（ケーシング）の底板に直に取り付けている。そのためドレンポンプの振動が取付台を介しキャビネット、ドレン排水口へ伝わり筐体を振動させ騒音が大きくなる。
【０００５】
また、ドレンポンプを交換、点検等サービスを行う場合ドレンポンプの押え部材、ドレンポンプ取付部材を外すため部品がばらばらになり、天井裏の狭く作業体勢が取りづらい場所の作業になり、手間が掛かり作業性も悪く再クレームの発生に繋がり兼ねない。
【０００６】
また、ドレンホースを交換する場合は、キャビネットから取付台ごと取り外さなければならず作業時間も長くなる。
【０００７】
この発明は、上記のような問題点を解決するためになされたもので、ドレンポンプで発生する振動のキャビネットへの伝達を抑制し、低振動、低騒音の空気調和機を提供することを目的とする。
【０００８】
【課題を解決するための手段】
この発明に係る空気調和機は、熱交換器で発生するドレン水を空気調和機内部に一旦貯留した後、強制的に外部に排出する空気調和機において、送風機が取り付けられと共に風路を形成し、空気調和機外郭に部分的に接触して固定させるベースと、ベースに取り付けられ、ドレン水を空気調和機外部に排出するドレンポンプユニットと、を備えたことを特徴とする。
【０００９】
【発明の実施の形態】
以下、この発明の実施の形態を図面に基づいて説明する。
実施の形態１．
図１〜５は実施の形態１を示す図で、図１は天井埋込形空気調和機の部品構成を示す斜視図、図２はドレンポンプユニットの固定方法を示す部分斜視図、図３はドレン排水の経路を示す側面図、図４は天井埋込形空気調和機のドレンポンプユニットの部品構成を示す構成展開図、図５は天井埋込形空気調和機のドレンポンプユニットを示す正面図である。
【００１０】
図１において、キャビネット１は天井埋込形空気調和機の外郭を構成する。ベース２はキャビネット１の内部に配置されて風路を形成し、送風ファンモータ３のモータ取付受部２ｂを有し、その対極側には送風ファン４の回転軸の軸受け２ａを有する。そして、ベース２はキャビネット１に部分的にビス等で固定される。ベース２はキャビネット１に全面が接触するものではなく、部分的に接触する。モータバンド５は送風ファンモータ３をベース２のモータ取付受部２ｂと挟み固定する。スタビライザー６は熱交換器８の後流で風向ベーン７を有し吹出口を形成する。ドレンパン９は熱交換器８の下部に位置し、熱交換器８で発生するドレン水を受ける。ドレンポンプユニット１３は、ドレン水の吸い口を下に設け鉛直方向に排水口を備えるドレンポンプ１０と、ドレンポンプ１０を覆うドレンポンプカバー１１と、ドレンポンプ台座１２とにより構成される。ドレンポンプ１０は、ドレンポンプカバー１１とドレンポンプ台座１２に挟まれ固定されている。
【００１１】
図２、３に示すように、ドレンポンプ１０、ドレンポンプカバー１１、ドレンポンプ台座１２からなるドレンポンプユニット１３は、キャビネット１内部に配置された、風路を形成すると共に、送風ファンモータ３のモータ取付受部２ｂ、送風ファン４の回転軸の軸受け２ａを有するベース２に固定されている。
【００１２】
ドレンホース１４の固定部であるドレン排水口１５は、ドレンポンプユニット１３とは別部品で構成され、ベース２に固定されている。ドレンポンプ１０とドレン排水口１５はドレンホース１４により接続されている。
【００１３】
ドレンポンプユニット１３、ドレン排水口１５が、ベース２に固定されているので、ドレンポンプ１０からキャビネット１に振動が伝達するのを緩和している。
【００１４】
また、ドレン排水口１５を、ドレンポンプユニット１３とは別部品で構成することで、その間を接続するドレンホース１４でドレンポンプ１０の振動が吸収され、ドレン排水口１５の振動が減衰することにより、ドレンポンプユニット１３とドレン排水口１５が一体のものより、キャビネット１への振動の伝達は減少する。
【００１５】
熱交換器８で発生したドレン水は、ドレンパン９に回収される。ドレンパン９に溜まったドレン水を、ドレンポンプ１０が下に延びる吸込み口より吸込み、排水口から送り出す。その後ドレンホース１４、ドレン排水口１５から空気調和機本体より排水され、ドレン配管１６、ＶＰ管１７を介して屋外へ導かれる。
【００１６】
図４、５に示すように、ドレンポンプ１０とドレンポンプカバー１１の間に、ドレンポンプ１０の下面形状とドレンポンプカバー１１内面形状に沿った形状をし柔軟性のある弾性部材の一例の下ゴム１８を配置する。ドレンポンプ１０の上側にはドレンポンプ１０の上部形状とドレンポンプ台座１２形状に沿った形状で柔軟性を持った弾性部材の一例の上ゴム１９を配置する。ドレンポンプ１０を上ゴム１９と下ゴム１８で挟み、ドレンポンプカバー１１とドレンポンプ台座１２を固定することによりドレンポンプ１０を保持、固定している。
【００１７】
このように構成することにより、ドレンポンプ１０からの振動を下ゴム１８、上ゴム１９により減衰させることができる。
【００１８】
ドレンポンプカバー１１とドレンポンプ台座１２の固定は、ドレンポンプカバー１１の上部端部に先端が細く根元に来るほど太くなる鏃状のツメ１１ａと、ネジ固定が出来るようネジ径より大きい穴１１ｂを配置し、これに嵌合すべくドレンポンプ台座１２にはツメ１１ａには取付穴１２ａ、穴１１ｂには同軸線上にセルフタッピングネジが止められるようネジボス穴１２ｂを配置し固定している。
【００１９】
このように構成することにより、ドレンポンプユニット１３ごとベース２から取り外すことができるので、メンテナンス時の作業性が向上する。また、省スペース、安価な固定構造を実現している。
【００２０】
上述の実施の形態によれば、ドレンポンプ１０及びドレン排水口１５をベース２に取付ける構成にしたので、ドレンポンプ１０で発生する振動がキャビネット１に伝達されるのを緩和するため、低振動の天井埋込形空気調和機が得られる。
【００２１】
また、ドレン排水口１５を、ドレンポンプユニット１３とは別部品で構成することで、その間を接続するドレンホース１４でドレンポンプ１０の振動が吸収され、キャビネット１への振動の伝達はさらに減少する。
【００２２】
また、ドレンポンプ１０とドレンポンプカバー１１の間に、下ゴム１８を配置し、ドレンポンプ１０とドレンポンプ台座１２の間に上ゴム１９を配置することにより、ドレンポンプ１０からの振動の伝達を抑制することができる。
【００２３】
また、ドレンポンプカバー１１とドレンポンプ台座１２の固定は、ドレンポンプカバー１１の鏃状のツメ１１ａと、ネジ固定が出来るようネジ径より大きいネジ用の穴１１ｂを配置し、これに嵌合すべくドレンポンプ台座１２にはツメ１１ａには嵌合用の取付穴１２ａ、穴１１ｂには同軸線上にセルフタッピングネジが止められるようネジボス穴１２ｂを配置し固定している構造により、ドレンポンプユニット１３ごとベース２から取り外すことができるので、メンテナンス時の作業性が向上する。また、省スペース、安価な固定構造を実現している。
【００２４】
実施の形態２．
ドレンポンプ１０は、天井埋込形空気調和機が冷房運転をしている際は常時運転をしている。そのため時間の経過とともに部品の温度が上昇し効率が悪化したり、部品寿命が短くなったり部品の故障に繋がったりする。
【００２５】
図６、７は実施の形態２を示す図で、図６はドレンポンプユニット正面図、図７は上ゴムの正面断面図である。図６、７に示すように、ドレンポンプ１０とドレンポンプ台座１２の間にある上ゴム１９に、ドレンポンプ１０の回転軸線上にドレンポンプ１０上面より小さい放熱穴２０を配置する。
【００２６】
ドレンポンプ１０が運転し部品温度が上昇した場合、上ゴム１９に空いた放熱穴２０より部品の熱が上に抜け内部に熱がこもることなく放熱される。
【００２７】
上述の実施の形態によれば、上ゴム１９に放熱穴２０を設けたことにより、ドレンポンプ１０からの放熱が促進されるため部品の劣化を抑制し信頼性の高い天井埋込形空気調和機が得られる。
【００２８】
実施の形態３．
ドレンポンプ１０が故障した場合や、ドレンホース１４の接続部が外れる等によりドレン水の排水ができないまま天井埋込形空気調和機の運転を続けると、ドレンパン９の貯水量を超えた場合ドレン水が居室へ水漏れを起こしてしまう。そのためドレン水の水位を検知するためドレンセンサーが取付られているが、このドレンセンサーの取付がバラツキ等で正規の位置に取り付けられないと問題である。
【００２９】
図８、９は実施の形態３を示す図で、図８はドレンセンサー取付の正面図、図９はドレンセンサー部品構成図である。図８、９において、ドレンセンサー２２はドレン水位を検知するフロート式のものである。このドレンセンサー２２は、ドレンポンプカバー１１の側面から鉛直方向に突出し、平面にドレンセンサー２２の固定ネジ２２ｃが嵌合する穴を有し、この穴の一部はドレンセンサーリード線２２ｄが通るよう切り欠かれているセンサー取付部２１にナット２３により上下より締め付け固定されている。ドレンセンサー２２はセンサー軸２２ｂを垂直方向にフロート２２ａが可動する。ドレンポンプ１０を固定しているドレンポンプカバー１１にドレンセンサー２２を固定しているため、部品間の取付バラツキが少なくドレン水位が正確に計れる。ドレンセンサー２２は、センサー取付部２１に形成された、例えばＵ字形状の切り欠きに取り付けられるようにしたので、容易にドレンセンサー２２をセンサー取付部２１に取り付けることができる。
【００３０】
上述の実施の形態によれば、ドレンセンサー２２をドレンポンプカバー１１に取付けることにより、取付けに必要な部品点数が削減され部品間で発生する取付けバラツキによる誤差が低減されるため、ドレン水位がより正確に測れる。
【００３１】
実施の形態４．
天井埋込形空気調和機を点検、サービスを行う場合、ユニット下面より作業を行う。そのため部品の取付は下面より出来るようにする必要がある。
【００３２】
図１０、１１は実施の形態４を示す図で、図１０はドレンポンプユニットの取付斜視図、図１１はドレンポンプユニットの取付断面図である。図１０、１１において、ドレンポンプ台座１２の上面すなわちベース２の取付面側に、その取付面より上方へ突出しＬ字状の仮止め用フック２４が設けられており、ベース２にはこのＬ字状の仮止め用フック２４の水平部の大きさより大きい仮止め用穴２５が設けられている。この仮止め用穴２５は、ドレンポンプ台座１２の取付穴１２ａとベース２にある取付用ボス２ｃを同軸上に合わせた場合、仮止め用フック２４の根元が仮止め用穴２５の端面に位置し仮止め用フック２４の水平部が仮止め用穴２５位置よりずれている。
【００３３】
ドレンポンプユニット１３をサービス等で取付ネジ２６を取り外した時にドレンポンプユニット１３は下側へ落ちようとするが、仮止め用フック２４の水平部がベース２に掛かり、ドレンポンプユニット１３の落下が防止され、怪我の防止等安全性が向上する。
【００３４】
上述の実施の形態によれば、ドレンポンプ台座１２にＬ字状の仮止め用フック２４を設け、ベース２に仮止め用穴２５を配置したことにより、ドレンポンプユニット１３をサービスする際に、取付ネジ２６を外しても仮止め用フック２４がベース２に引っかかり落下防止が図れ安全性が向上する。
【００３５】
実施の形態５．
図１２は一般的な天井埋込形空気調和機のドレンポンプユニットリード線実態を示す下面図である。ドレンポンプユニット１３は、ドレンポンプ１０への電源供給用のドレンポンプリード線１０ａ、ドレンセンサー２２の信号用のドレンセンサーリード線２２ｄの配線が必要であり、図１２に示すようにリード線をドレンポンプカバー１１の周辺を取りまわすことになる。しかし、狭いスペースでリード線を取りまわすためドレンポンプユニット１３を取付時にリード線をドレンポンプ台座１２とベース２の間に挟み込んだり固定ネジでリード線を傷つけ断線に至ってしまう恐れがある。
【００３６】
図１３〜１５は実施の形態５を示す図で、図１３はドレンポンプユニットの下面図、図１４はドレンポンプ台座の正面図、図１５はドレンポンプユニットのリード線取り回し正面図である。
図１３〜１５において、ドレンポンプ台座１２の両側面に先端に返り形状を有するリードフック１２ｄ、１２ｅを、またドレンポンプ台座１２背面に背面リードフック１２ｃを設け、これらのフックにドレンポンプリード線１０ａ、ドレンセンサーリード線２２ｄをドレンポンプ台座１２との間に挟み込む。各リード線フックの先端部は返り形状があるため、リード線が抜けてくることはなくリード線の位置が固定され、ドレンポンプユニット１３の取付作業時にリード線を挟んでしまうこともなく品質向上、取付作業性が向上する。
【００３７】
実施の形態６．
ドレンポンプ１０の運転による振動を吸収するために上ゴム１９、下ゴム１８を配置しているが、ドレンポンプカバー１１からドレンポンプ台座１２へ振動が伝わる場合もあり、より振動伝達を小さくしたい場合には、ドレンポンプカバー１１からドレンポンプ台座１２へ伝達される振動を減らす必要がある。
【００３８】
図１６は実施の形態６を示す図で、振動低減形ドレンポンプユニットの正面図である。図１６において、ドレンポンプ１０とドレンポンプ台座１２の間に下面側はドレンポンプ１０の外郭形状に沿った形状で、上面側はドレンポンプ台座１２に内接し、側面端部まで延びる上部ゴム２７が配置されている。ドレンポンプカバー１１をドレンポンプ台座１２に取り付ける際は、上部ゴム２７がドレンポンプ台座１２の端部まで延びているため、上部ゴム２７をドレンポンプ台座１２に挟む形になる。そのためドレンポンプ１０で発生した振動は下ゴム１８で減少した後、ドレンポンプカバー１１を伝わり上部ゴム２７でさらに減衰してからドレンポンプ台座１２に伝わるため、より振動を押えることができる。
【００３９】
実施の形態７．
ドレンポンプユニット１３で発生する振動がより伝わり難くなるように、伝達経路すなわち接触面積を減らすことが有効である。
図１７、１８は実施の形態７を示す図で、図１７はドレンポンプ台座取付部分断面図、図１８はドレンポンプ台座取付け部分斜視図である。図１７、図１８において、ベース２とドレンポンプ台座１２の取付面の取付穴１２ａの周囲にベース２側へ突出したリブ２８を配置し、ドレンポンプ台座１２をベース２へ取付ける際すなわちドレンポンプユニット１３を取付る場合、ベース２と接触するのは今までの取付面全面からリブ２８の先端のみとなり、振動の伝達も小さくなる。
【００４０】
上述の実施の形態では、天井埋込形空気調和機のドレンポンプにつて説明したが、他の空気調和機のドレンポンプに本発明を適用してもよく、同様の効果を奏する。
【００４１】
【発明の効果】
この発明に係る空気調和機は、送風機が取り付けられと共に風路を形成し、空気調和機外郭に部分的に接触して固定させるベースに、ドレン水を空気調和機外部に排出するドレンポンプユニットを取り付けることにより、ドレンポンプで発生する振動の空気調和機外郭への伝達を緩和するため、低振動の空気調和機が得られる。
【図面の簡単な説明】
【図１】実施の形態１を示す図で、天井埋込形空気調和機の部品構成を示す斜視図である。
【図２】実施の形態１を示す図で、ドレンポンプユニットの固定方法を示す部分斜視図である。
【図３】実施の形態１を示す図で、ドレン排水の経路を示す側面図である。
【図４】実施の形態１を示す図で、天井埋込形空気調和機のドレンポンプユニットの部品構成を示す構成展開図である。
【図５】実施の形態１を示す図で、天井埋込形空気調和機のドレンポンプユニットを示す正面図である。
【図６】実施の形態２を示す図で、ドレンポンプユニット正面図である。
【図７】実施の形態２を示す図で、上ゴムの正面断面図である。
【図８】実施の形態３を示す図で、ドレンセンサー取付の正面図である。
【図９】実施の形態３を示す図で、ドレンセンサー部品構成図である。
【図１０】実施の形態４を示す図で、ドレンポンプユニットの取付斜視図である。
【図１１】実施の形態４を示す図で、ドレンポンプユニットの取付断面図である。
【図１２】一般的な天井埋込形空気調和機のドレンポンプユニットリード線実態を示す下面図である。
【図１３】実施の形態５を示す図で、ドレンポンプユニットの下面図である。
【図１４】実施の形態５を示す図で、ドレンポンプ台座の正面図である。
【図１５】実施の形態５を示す図で、ドレンポンプユニットのリード線取り回し正面図である。
【図１６】実施の形態６を示す図で、振動低減形ドレンポンプユニットの正面図である。
【図１７】実施の形態７を示す図で、ドレンポンプ台座取付部分断面図である。
【図１８】実施の形態７を示す図で、ドレンポンプ台座取付け部分斜視図である。
【符号の説明】
１  キャビネット、２  ベース、２ａ  軸受け、２ｂ  モータ取付受部、２ｃ取付用ボス、３  ファンモータ、４  送風ファン、５  モータバンド、６  スタビライザー、７  風向ベーン、８  熱交換器、９  ドレンパン、１０  ドレンポンプ、１０ａ  ドレンポンプリード線、１１  ドレンポンプカバー、１１ａ  ツメ、１１ｂ  穴、１２  ドレンポンプ台座、１２ａ  取付穴、１２ｂ  ネジボス穴、１２ｃ  背面リードフック、１２ｄ，１２ｅ  リードフック、１３  ドレンポンプユニット、１４  ドレンホース、１５  ドレン排水口、１６  ドレン配管、１７  ＶＰ管、１８  下ゴム、１９  上ゴム、２０  放熱穴、２１  センサー取付部、２２  ドレンセンサー、２２ａ  フロート、２２ｂ  センサー軸、２２ｃ  固定ネジ、２２ｄ  ドレンセンサーリード線、２３  ナット、２４  仮止め用フック、２５  仮止め用穴、２６  取付ネジ、２７  上部ゴム、２８  リブ。
【図１】
2004278965.tif 000003
【図２】
2004278965.tif 000004
【図３】
2004278965.tif 000005
【図４】
2004278965.tif 000006
【図５】
2004278965.tif 000007
【図６】
2004278965.tif 000008
【図７】
2004278965.tif 000009
【図８】
2004278965.tif 000010
【図９】
2004278965.tif 000011
【図１０】
2004278965.tif 000012
【図１１】
2004278965.tif 000013
【図１２】
2004278965.tif 000014
【図１３】
2004278965.tif 000015
【図１４】
2004278965.tif 000016
【図１５】
2004278965.tif 000017
【図１６】
2004278965.tif 000018
【図１７】
2004278965.tif 000019
【図１８】
2004278965.tif 000020